(57)【要約】【課題】  本発明は、複雑な三次元形状を有する下腹部及び臀部にフィットし、着用者の動作に柔軟に追従できる立体設計の丸編構造を単一の部品点数で、且つ小径の丸編機で製作できる下半身用下着を提供するものである。【解決手段】  本発明は、丸編により筒状に編成される筒状編地からなる生地本体１と、この生地本体１における筒状編地の両端開口部分で形成される二つの脚挿通部２，３と、前記生地本体１における前記筒状編地の中間部分を筒状長手方向に切開したスリットで形成されるウェスト部４とを備える構成である。【選択図】  図１
2020105668.tif 000002
【特許請求の範囲】
【請求項１】
丸編により筒状に編成される筒状編地からなる下半身用下着であって、
前記筒状編地の両端開口部分で形成される二つの脚挿通部と、
前記筒状編地の中間部分を筒状長手方向に開口したスリットで形成されるウェスト部とを備えることを
特徴とする下半身用下着。
【請求項２】
前記請求項１に記載の下半身用下着において、
前記二つの脚挿通部とウェスト部との間の各編成領域で、当該各編成領域の一方を丸編みの目増しで編成し、他方を丸編みの目減して編成したことを
特徴とする下半身用下着。
【請求項３】
前記請求項１又は２に記載の下半身用下着において、
前記二つの脚挿通部の間で、且つウェスト部に対向する筒状編地の編成領域を、タック編み若しくはカットボスで編成したことを
特徴とする下半身用下着。
【請求項４】
前記請求項１ないし３のいずれかに記載の下半身用下着において、
前記筒状編地の両端開口部分における全周端縁部をヘム編みにより編成したことを
特徴とする下半身用下着。
【請求項５】
前記請求項１ないし４のいずれかに記載の下半身用下着において、
前記筒状編地をゾッキ編みの平編で編成したことを
特徴とする下半身用下着。
【請求項６】
前記請求項１ないし５のいずれかに記載の下半身用下着において、
前記二つの脚挿通部とウェスト部との間の各編成領域で、両編成領域で丸編みの目増し及び目減らしを連続して編成することを
特徴とする下半身
【発明の詳細な説明】
【技術分野】
【０００１】
本発明は、着用者の下腹部及び臀部に被着する下半身用下着に関し、特に下腹部・臀部の凹凸三次元形状にフィットし、且つ着用者の動きに柔軟に追従できる立体設計を丸編構造により実現できる下半身用下着に関する。
【背景技術】
【０００２】
従来、この種の下半身用下着としては、女性用のショーツ、ガードルとして多種多様な商品として存在し、男性用のブリーフとしても多くの商品がある。この従来の下半身用下着としては、例えば特許文献１があり、この特許文献１に開示される下半身用下着は、複数片の緯編地を含まれる緯編地が接合されて形成された下半身用肌着であって、ヒップを覆う後見頃と、腹部を覆う前見頃と、股間を覆うクロッチ部とを含み、前記前身頃を形成する緯編地片において、着用者の起立状態における横方向が前記緯編地における緊締力の強く伸びにくい第１の方向になるように、かつ、前記後見頃を形成する緯編地片において、前記横方向が緊締力の弱く伸びやすい第２の方向になるように構成される。
【０００３】
このように従来の下半身用下着は、腹部を覆う前身頃を形成する緯編地片が着用者の起立状態における横方向を緯編地における緊締力の強く伸びくい第１の方向となっているので、腹部を適度に引き締めることができると共に、後身頃を形成する緯編地片が横方向に緊締力の弱く伸びやすい第２の方向となっているので、ウェスト近傍の背中周りが伸びやすく、上半身を捻る等の着用者の身体の動きに柔軟に追従できることとなっている。
【０００４】
また、従来の下半身用下着は、後身頃の緯編地片が、前記横方向に略直交する縦方向を緊締の強い伸びにくい第２の方向になっているので、ヒップを適度に引き上げることができる。
【０００５】
また、他の従来の下半身用下着として特許文献２ないし特許文献４に開示されるものが存在する。この特許文献２に開示される下半身用下着は、前身頃、後身頃の中間位置に、上側マチ部及び下側マチ部を配設して「尿漏れ」等に対応して吸水特性を向上させるものがある。
【０００６】
さらに、前記特許文献３，４に開示される各下半身用下着は、編機によりウェスト部と身頃部とがこの順序で編成し、この身頃分の末端部分で脚部開口を縫製により形成するものである。
【先行技術文献】
【特許文献】
【０００７】
【特許文献１】特開２０１８−３５４５１号公報
【特許文献２】特開２０１５−２０９６１２号公報
【特許文献３】特開２０１４−２２７６２６号公報
【特許文献４】特開２０１３−１５９８７９号公報
【発明の概要】
【発明が解決しようとする課題】
【０００８】
しかしながら、特許文献１及び２に開示される下半身用下着は、前身頃、後身頃等の複数の緯編地片を別途に形成し、しかもこの緯編地片の緊締力を異ならせて編成し、これら形成・編成した各緯編地片を縫製等により結合させて一体化して作成することから、異なる形状に緯編地片を各々形成すると共に、これらの緯編地片における緊締力の大きさ及び方向を各々異ならせて作成しなければならないという課題を有していた。
【０００９】
さらに、前記各緯糸編地片の接合部分に重ね合せ部分が線状に厚く形成され、下半身用下着全体の伸縮性に影響を及ぼし、着用感を悪化させると共に、上着の上からも線状の接合部分が現れて美感上見苦しいという課題を有していた。
【００１０】
また、前記特許文献３及び４は、全体を丸編みにより編成し、部品点数を極力少なくすると共に、縫製部分をマチ部分から前身頃及び後身頃の順で丸編で編成されることから大口径（シリンダ径）の丸編機でなければ編成できず、マチ部分の縫製等の接合工程が必須となり作業工程を複雑化させるという課題を有していた。
【００１１】
本発明は、前記従来技術の課題を解決するためになされたものであり、複雑な三次元形状を有する下腹部及び臀部にフィットし、着用者の動作に柔軟に追従できる立体設計の丸編構造を単一の部品点数で、且つ小径の丸編機で製作できる下半身用下着を提供するものである。
【課題を解決するための手段】
【００１２】
本発明に係る下半身用下着は、丸編により筒状に編成される筒状編地からなる下半身用下着であって、前記筒状編地の両端開口部分で形成される二つの脚挿通部と、前記筒状編地の中間部分を筒状長手方向に開口したスリットで形成されるウェスト部とを備えるものである。
【００１３】
このように本発明においては、丸編により編成された筒状編地の両端開口部分で二つの脚挿通部を形成し、当該筒状編地の中間部分を開口したスリットでウェスト部を形成していることから、筒状体の編地で着用者の下腹部及び臀部に対応させてフィットさせ、筒状編地の伸縮特性で着用者の動作に柔軟に追従できることとなり、この着用者にフィットし、動作追従ができる立体設計の丸編構造を単一の部品で且つ小径の丸編機で製作できるという効果を奏する。
【００１４】
本発明に係る下半身用下着は、必要に応じて、二つの脚挿通部とウェスト部との間の各編成領域で、当該各編成領域の一方を丸編みの目増しで編成し、他方を丸編みの目減して編成したものである。
【００１５】
このように本発明においては、筒状編地の両端開口部分近傍の編成領域で、一方を丸編の目増しで編成し、他方を丸編みの目減しで編成するようにしているので、ウェスト部に対する二つの脚挿通部の配置構成を着用者の人体形態により適合する姿勢に丸編機の編成工程で成形できることとなり、着用者によりフィットさせ、動作追従性をより向上させることができるという効果を有する。
【００１６】
本発明に係る下半身用下着は、必要に応じて、下半身用下着において、二つの脚挿通部の間で、且つウェスト部に対向する筒状編地の編成領域を、タック編み若しくはカットボスで編成するものである。
【００１７】
このように本発明においては、筒状編地における二つの脚挿通部の中間で、ウェスト部に対向する編成領域をタック編み若しくはカットボスで編成するようにしているので、当該編成領域が他の筒状編地の領域よりも収縮若しくは異なる編地で股下部位のマチ部分を着用者の股下形状に適合させることができることとなり、人体形態で最も複雑な曲面形状で可動形態となる着用者の股下部にフィットできると共に、着用者の動作により柔軟に追従できる効果を有する。
【００１８】
本発明に係る下半身用下着は必要に応じて、下半身用下着において、筒状編地の両端開口部分における全周端縁部をヘム編みにより編成するものである。
【００１９】
このように本発明においては、筒状編地の両端開口部分における全周端縁部をヘム編みにより構成したことから、二つの脚挿通部が着用者の大腿部及び鼠蹊部への食い込み・捲れを防止できるとことなり、着用者の着用感を向上させると共に、上着を透して下着の形状を視認できる効果を有する。
【００２０】
本発明に係る下半身用下着は必要に応じて、下半身用下着を形成する筒状編地をゾッキ編みの平編で編成するものである。
【００２１】
このように本発明においては、筒状編地をゾッキ編みの平編で編成したことから、丸編で編成される全体を大きな伸縮性及び柔軟性を併せ持たせて形成できることとなり、着用者の着用感を大きく向上させることができるという効果を有する。
【００２２】
本発明に係る下半身用下着は必要に応じて、下半身用下着の生地本体における二つの脚挿通部とウェスト部との間の各編成領域と、両編成領域で丸編みの目増し及び目減らしを連続して編成するものである。
【００２３】
このように本発明においては、二つの脚挿通部とウェスト部との間の各編成領域と、両編成領域で丸編みの目増し及び目減らしを連続して編成するようにしているので、丸編みによる単一の筒状の生地本体でウェスト部に対して対向する方向へ二つの脚挿通部を配置して構成できることとなり、着用者にフィットし、動作追従が可能な立体設計の丸編構造を単一の部品で且つ小径の丸編機で製作できる効果を有する。特に、下半身用下着を男性用のブリーフとして形成する場合は、マチ部より下方へ脚挿通部を延出させて形成できることとなり、着用感をより向上させる効果を有する。
【図面の簡単な説明】
【００２４】
【図１】（Ａ）は本発明の第１の実施形態に係る下半身用下着の正面図、（Ｂ）は（Ａ）に記載の下半身用下着の背面図である。
【図２】（Ａ）ないし（Ｄ）は本発明の第１の実施形態に係る下半身用下着の編成工程を説明するための製造工程図である。
【図３】（Ａ）ないし（Ｃ）は本発明の第１の実施形態に係る下半身用下着の編成動作及び加工動作を説明する正面図、側面図及び丸編機のシリング動作図である。
【図４】本発明の他の実施形態に係る下半身用下着の正面図である。
【発明を実施するための形態】
【００２５】
（本発明の第１の実施形態）
以下、本発明の第１の実施形態に係る下半身用下着を図１（Ａ），（Ｂ）及び図（Ａ）〜（Ｄ）に基づいて説明する。前記図１（Ａ），（Ｂ）において本実施形態に係る下半身用下着は、丸編により筒状に編成される筒状編地からなる生地本体１と、この生地本体１における筒状編地の両端開口部分で形成される二つの脚挿通部２，３と、前記生地本体１における前記筒状編地の中間部分を筒状長手方向に開口したスリットで形成されるウェスト部４とを備える構成である。
【００２６】
前記生地本体１は、脚挿通部２から連続する筒状編地で編成される一側の外腹部１１と、この外腹部１１の一部に連続して丸編のコース方向に目増しで編成される一側お腰部１２と、この腰部１２及び外腹部１１に各々連続して編成される腹部１３及び臀部１４と、前記外腹部１１に連続し、腹部１３及び臀部１４の編成時に同一のコース方向で且つ異なる編み方で編成されるマチ部５と、前記腹部１３、臀部１４の一部に連続して丸編のコース方向に目減らしで編成される他方の腰部１５と、この腰部１５、腹部１３、臀部１４及びマチ部５の総てに連続して編成される他側の外腹部１６とを備える構成である。
【００２７】
前記脚挿通部２は、生地本体１の外腹部１１に連続した筒状編地で編成され、この筒状編地をヘム編成の足ぐりにて構成される。前記脚挿通部３は脚挿通部２と同様に、生地本体１の外腹部１６に連続した筒状編地にて編成され、この筒状編地をヘム編成の足ぐりとして構成される。
【００２８】
前記マチ部５は、生地本体１の外腹部１１、腰部１２、腹部１３、臀部１４、腰部１５及び外腹部１６より収縮性が大きな編み方、例えばタック編、フロート編又はカットボス等の挿入編で編成することができる。このマチ部５との収縮力の差を大きくするために、外腹部１１、腰部１２、腹部１３、臀部１４、腰部１５及び外腹部１６をゾッキ編により編成して着用感をより向上させることも可能である。
【００２９】
前記ウェスト部４は、生地本体１のマチ部５に対向する側端部分を切開することによりスリット１００を形成し、このスリット１００で形成される開口部分の全体を周回するように長手方向に弾性力を有する口ゴム４１が縫着されて形成される構成である。
なお、前記ウェスト部４は、生地本体１の側端部分を切開してスリット１００を形成する構成の外に、編み立て自体により開口したスリット１００を編成することもできる。
【００３０】
次に、前記構成の下半身用下着の製造工程を図２及び図３に基づいて説明する。
前記各図において本実施形態に係る下半身用下着は、まず、丸編機（図示を省略）に表糸及び裏糸を給糸し、この丸編機のシリンダ２００の中心軸Ｒ１にてシリンダ２００の全周に亘り編成してヘム構成により口ゴム部２１を編み立てて脚挿通部２を形成する。この口ゴム部２１の全周に連続して平編みにより外腹部１１を編成する。
【００３１】
前記外腹部１１の編成後にシリンダ２００における半周で中心軸Ｒ１にて外腹部１１の針に編成糸を保持しつつ、残りの半周をコース方向に目増しで順次編み立てて腰部１２を編成する。この残り半周で編成した腰部１２及び前記編成糸を針保持した半周に各々連続し、シリンダ２００の全周に亘って中心軸Ｒ２にて平編を編み立てて腹部１３及び臀部１４を編成すると共に、この腹部１３及び臀部１４の表糸に替えて収縮力のより大きな糸を表糸として交編タックカットボスの編みでマチ部５を編成する。
【００３２】
前記腹部１３、臀部１４及びマチ部５をシリンダ２００の全周を用いて編成した後、この腹部１３及び臀部１４の一部及びマチ部５と連続する編成部分の編成糸をシリンダ２００の針に保持しつつ、シリンダ２００の中心軸Ｒ３にて前記腹部１３及び臀部１４の残りの半周の針によりコース方向に目減らして順次編み立てて腰部１５を編成する。この残りの半周の針で編成した腰部１５及び前記針に保持された編成糸の腹部１３及びマチ部５に各々連続し、シリンダ２００の全周に亘って中心軸Ｒ３にて針を作動させて平編みを編み立てて外腹部１６を編成する。
【００３３】
前記シリンダ２００の全周で編成された外腹部１６に連続してヘム構成により口ゴム部３１を編み立てて脚挿通部３を編成する。この脚挿通部３及び脚挿通部２をヘム構成の口ゴム部３１及び口ゴム部２１で構成することにより、着用時に下半身下着としてのパンティが上着を通して透けて見えることを防止すると共に、着用感を向上させることができる。
【００３４】
また、前記脚挿通部２，３における各口ゴム部２１，３１は、その平面視において着用者の臀部に被着する部分の長さＬ１が腹部に被着する部分の長さＬ２より長く（Ｌ２＞Ｌ１）で形成して前身頃と後見頃とでゴアラインの長さが変わることから、着用時における着用者の臀部を包み込むような被着状態になると共に、着用者の鼠蹊部に確実に沿った被着状態となり、より一層の着用感を向上させることができる。
【００３５】
（本発明の他の実施形態）
本発明の他の実施形態に係る下半身用下着を図４に基づいて説明する。同図において他の実施形態に係る下半身用下着は、男性用のブリーフとして形成され、、生地本体１の外腹部１１（１６）と腹部１３及び臀部１４との間の各編成領域を各々丸編機のシリンダ２００の一部を用いて目増し及び目減らしを連続して行って腰部１２ａ，１２ｂ（１５ａ，１５ｂ）を編成することもできる。
【００３６】
前記腰部１２ａ，１２ｂは、シリンダ２００の一部を用いて目増し、目減らしを連続して編成していることから、筒状の生地本体１でウェスト部４に対して対向する方向へ脚挿通部２の口ゴム部２１をマチ部５より下方へ延出できることとなる。また、腰部１５ａ，１５ｂも、腰部１２ａ，１２ｂと同様に、脚挿通部３の口ゴム部３１をマチ部５より下方へ延出できることとなる。
【００３７】
このように、脚挿通部２，３の各口ゴム部２１，３１を下方へ延出できるようにしているので、男性用ブリーフとしての着用感をより向上させることができることとなる。
【符号の説明】
【００３８】
１  生地本体
２  ，３  脚挿通部
４  ウエスト部
５  マチ部
１１，１６  外腹部
１２，１５  腰部
１３  腹部
１４  臀部
１００  スリット
２００  シリンダ
【図１】
2020105668.tif 000003
【図２】
2020105668.tif 000004
【図３】
2020105668.tif 000005
【図４】
2020105668.tif 000006